(57)【要約】【課題】画面スクロールの操作性を向上させること。【解決手段】１つの態様において、装置（例えば、スマートフォン）１は、複数の情報を表示する表示するタッチスクリーンディスプレイと、前記タッチスクリーンディスプレイに表示される情報の属性に応じて、前記画面をスクロールさせる速度を制御するコントローラとを有する。例えば、装置（例えば、スマートフォン）１は、設定データ９Ｚに含まれる設定条件に従い、例えば、未読メールに対応する項目を、受信トレイの最上部に表示させるように、画面のスクロールの速度を制御する。【選択図】図８
2013186726.tif 000002
【特許請求の範囲】
【請求項１】
複数の情報を表示する表示するとともに、該複数の情報が表示されている画面をスクロールさせるための操作を検出するタッチスクリーンディスプレイと、
前記タッチスクリーンディスプレイによって前記操作が検出された場合に、前記タッチスクリーンディスプレイに表示される情報の属性に応じて、前記画面をスクロールさせる速度を制御するコントローラと
を備える装置。
【請求項２】
前記タッチスクリーンディスプレイは、前記複数の情報の各々に対応する、前記情報の属性に応じて異なる表示態様を有する項目、が列挙された一覧を表示し、
前記コントローラは、前記画面をスクロールした後、前記一覧に含まれる複数の項目のうち前記属性が異なる項目が前記タッチスクリーンディスプレイの特定の位置に来たときに前記スクロールを停止させる請求項１に記載の装置。
【請求項３】
前記タッチスクリーンディスプレイは、前記複数の情報の各々に対応する、前記情報の属性に応じて異なる表示態様を有する項目、が列挙された一覧を表示し、
前記コントローラは、前記画面をスクロールした後、前記一覧に含まれる複数の項目のうち前記属性の異なる項目が前記タッチスクリーンディスプレイの特定の位置に近づくに従って前記スクロールの速度を減速させる請求項１に記載の装置。
【請求項４】
前記タッチスクリーンディスプレイは、属性の異なる複数の情報を表示し、
前記コントローラは、前記画面をスクロールした後、前記属性が異なる情報が前記タッチスクリーンディスプレイの特定の位置に来たときに前記スクロールを停止させる請求項１に記載の装置。
【請求項５】
前記タッチスクリーンディスプレイは、属性の異なる複数の情報を表示し、
前記コントローラは、前記画面をスクロールした後、前記属性が異なる情報が前記タッチスクリーンディスプレイの特定の位置に近づくに従って前記スクロールの速度を減速させる請求項１に記載の装置。
【請求項６】
タッチスクリーンディスプレイを備える装置を制御する方法であって、
複数の情報をタッチスクリーンディスプレイに表示させるステップと、
前記複数の情報が表示されている画面をスクロールさせるための操作が前記タッチスクリーンディスプレイによって検出された場合に、前記タッチスクリーンディスプレイに表示される情報の属性に応じて、前記画面をスクロールさせる速度を制御するステップと
を含む方法。
【請求項７】
タッチスクリーンディスプレイを備える装置に、
複数の情報をタッチスクリーンディスプレイに表示させるステップと、
前記複数の情報が表示されている画面をスクロールさせるための操作が前記タッチスクリーンディスプレイによって検出された場合に、前記タッチスクリーンディスプレイに表示される情報の属性に応じて、前記画面をスクロールさせる速度を制御するステップと
を実行させるプログラム。
【発明の詳細な説明】
【技術分野】
【０００１】
本出願は、装置、方法、及びプログラムに関する。特に、本出願は、タッチスクリーンを有する装置、その装置を制御する方法、及びその装置を制御するためのプログラムに関する。
【背景技術】
【０００２】
タッチスクリーンを備えるタッチスクリーンデバイスが知られている。タッチスクリーンデバイスには、例えば、スマートフォン及びタブレットが含まれる。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。
【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、Ｗｉｎｄｏｗｓ（登録商標）  Ｐｈｏｎｅである。
【先行技術文献】
【特許文献】
【０００４】
【特許文献１】国際公開第２００８／０８６３０２号
【発明の概要】
【発明が解決しようとする課題】
【０００５】
タッチスクリーンデバイスの多くは、複数の情報に各々に対応する項目が列挙されたリストをタッチスクリーンに表示する。タッチスクリーンデバイスは、利用者がリスト内の全ての項目を閲覧できるように、利用者の操作に応じて、リストが表示された画面をスクロールさせる。タッチスクリーンデバイスは、利用者の操作に応じて画面のスクロールを開始し、スクロールの速度を次第に減速させて、やがてスクロールを停止させる。画面をスクロールさせた場合、利用者は、情報を見逃したり、所望の情報に辿り付くまでに時間が要したりする場合がある。
【０００６】
このような理由により、画面スクロールの操作性を向上させることができる装置、方法、及びプログラムに対する必要性がある。
【課題を解決するための手段】
【０００７】
１つの態様に係る装置は、複数の情報を表示する表示するとともに、該複数の情報が表示されている画面をスクロールさせるための操作を検出するタッチスクリーンディスプレイと、前記タッチスクリーンディスプレイによって前記操作が検出された場合に、前記タッチスクリーンディスプレイに表示される情報の属性に応じて、前記画面をスクロールさせる速度を制御するコントローラとを備える。
【０００８】
１つの態様に係る方法は、タッチスクリーンディスプレイを備える装置を制御する方法であって、複数の情報をタッチスクリーンディスプレイに表示させるステップと、前記複数の情報が表示されている画面をスクロールさせるための操作が前記タッチスクリーンディスプレイによって検出された場合に、前記タッチスクリーンディスプレイに表示される情報の属性に応じて、前記画面をスクロールさせる速度を制御するステップとを含む。
【０００９】
１つの態様に係るプログラムは、タッチスクリーンディスプレイを備える装置に、複数の情報をタッチスクリーンディスプレイに表示させるステップと、前記複数の情報が表示されている画面をスクロールさせるための操作が前記タッチスクリーンディスプレイによって検出された場合に、前記タッチスクリーンディスプレイに表示される情報の属性に応じて、前記画面をスクロールさせる速度を制御するステップとを実行させる。
【図面の簡単な説明】
【００１０】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、電子メールの受信トレイをディスプレイに表示させたときの画面の一例を示す図である。
【図６】図６は、ウェブページをディスプレイに表示させたときの画面の一例を示す図である。
【図７】図７は、ウェブページをディスプレイに表示させたときの画面の一例を示す図である。
【図８】図８は、実施形態に係るスマートフォンの構成を示すブロック図である。
【図９】図９は、受信トレイに対応する画面をディスプレイに表示させているときに、タッチスクリーンにより画面のスクロール操作が検出された場合の制御の例を示す図である。
【図１０】図１０は、受信トレイに対応する画面をディスプレイに表示させているときに、タッチスクリーンにより画面のスクロール操作が検出された場合の制御の他の例を示す図である。
【図１１】図１１に、受信トレイに対応する画面をディスプレイに表示させているときに、タッチスクリーンにより画面のスクロール操作が検出された場合の制御の他の例を示す図である。
【図１２】図１２は、ウェブページに対応する画面をディスプレイに表示させているときに、画面のスクロール操作が行われた場合の制御の例を示す図である。
【図１３】図１３は、タッチスクリーンによって画面のスクロール操作が検出された場合に、ディスプレイに表示される情報の属性に応じて、画面をスクロールさせる速度を制御する処理の処理手順を示す図である。
【発明を実施するための形態】
【００１１】
図面を参照しつつ実施形態を詳細に説明する。以下では、タッチスクリーンを備える装置の一例として、スマートフォンについて説明する。
【００１２】
（実施形態）
図１から図３を参照しながら、本実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１３】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１４】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号、及び図形等を表示する。
【００１５】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。
【００１６】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂが接触を検出する指、ペン、又はスタイラスペン等を単に「指」ということがある。
【００１７】
スマートフォン１は、タッチスクリーン２Ｂにより検出された接触、接触が検出された位置、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００１８】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間以上触れるジェスチャである。スマートフォン１は、タッチスクリーン２Ｂに指が一定時間以上接触するジェスチャをロングタッチとして判別する。
【００１９】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２０】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２１】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２２】
「フリック」は、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。
【００２３】
「ピンチイン」は、複数の指が近付く方向にスワイプするジェスチャである。スマートフォン１は、複数の指が近付く方向にスワイプするジェスチャをピンチインとして判別する。「ピンチアウト」は、複数の指が遠ざかる方向にスワイプするジェスチャである。スマートフォン１は、複数の指が遠ざかる方向にスワイプするジェスチャをピンチアウトとして判別する。
【００２４】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なる。以下では、説明を簡単にするために、「タッチスクリーン２Ｂがジェスチャを検出し、検出されたジェスチャの種別をスマートフォン１がＸと判別すること」を、「スマートフォン１がＸを検出する」、又は「コントローラがＸを検出する」と記載することがある。
【００２５】
図４を参照しながら、ディスプレイ２Ａに表示されるホーム画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００２６】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップが検出されると、メールアプリケーションを実行する。
【００２７】
アイコン５０は、画像と文字列を含む。アイコン５０は、画像に代えて、記号又は図形を含んでもよい。アイコン５０は、画像又は文字列のいずれか一方を含まなくてもよい。アイコン５０は、配置パターンに基づいて配置される。アイコン５０の背後には、壁紙４１が表示される。壁紙は、フォトスクリーン又はバックスクリーンと呼ばれることもある。スマートフォン１は、任意の画像を壁紙４１として用いることができる。利用者の設定に従って任意の画像が壁紙４１として決定されてもよい。
【００２８】
スマートフォン１は、ホーム画面の数を増減することができる。スマートフォン１は、例えば、ホーム画面の数を利用者による設定に従って決定する。スマートフォン１は、ホーム画面の数が複数であっても、選択された１つをディスプレイ２Ａに表示する。
【００２９】
スマートフォン１は、ホーム画面４０の上に、１つ又は複数のロケータを表示する。ロケータの数は、ホーム画面の数と一致する。ロケータは、どのホーム画面が現在表示されているかを示す。現在表示されているホーム画面に対応するロケータは、他のロケータと異なる態様で表示される。
【００３０】
図４に示す例では、４つのロケータ５１が表示されている。これは、ホーム画面４０の数が４つであることを示す。さらに、図４に示す例では、左から２番目のシンボルが他のシンボルと異なる態様で表示されている。これは、現在、左から２番目のホーム画面がディスプレイ２Ａに表示されていることを示している。
【００３１】
スマートフォン１は、ホーム画面を表示中にジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。例えば、スマートフォン１は、左フリックを検出すると、ディスプレイ２Ａに表示するホーム画面を１つ右のホーム画面に切り替える。
【００３２】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００３３】
図４に示したホーム画面４０は、一例であり、各種の要素の形態、各種の要素の配置、ホーム画面４０の数、及びホーム画面４０での各種の操作の仕方等は上記の説明の通りでなくてもよい。
【００３４】
図５、図６及び図７を参照しながら、ディスプレイ２Ａに表示される画面の例について説明する。スマートフォン１は、図４に示すホーム画面４０の他に、図５に示す画面６０、または図６及び図７に示す画面７０をディスプレイ２Ａに表示する。
【００３５】
図５は、電子メールの受信トレイをディスプレイ２Ａに表示させたときの画面の一例を示している。図５に示す画面６０には、メニューボタン６１と、複数の項目６２と、目印６４が含まれる。メニューボタン６１は、受信メールに関する各種設定を行う場合に利用者により操作される。項目６２は、受信した電子メールごとに設けられる。メール１〜３、およびメール５〜９に対応する項目６２は、メール本文がディスプレイ２Ａに表示されたことがある電子メールに対応する。メール４に対応する項目６２は、メール本文がディスプレイ２Ａに一度も表示されたことがない電子メールに対応する。以下、メール１〜３およびメール５〜９のように、メール本文がディスプレイ２Ａに表示されたことがある受信メールを既読メールと表記し、メール４のように、メール本文がディスプレイ２Ａに一度も表示されたことがない受信メールを未読メールと表記することがある。例えば、図５に示すように、スマートフォン１は、未読メールであるメール４に対応する項目６２を、既読メールとは異なる色６３で表示する。目印６４は、項目６２に対して添付される。例えば、スマートフォン１は、既読メールの中から、目印６４を添付するメールの選択を利用者から受け付けると、目印６４の画像を項目６２に添付する。スマートフォン１は、例えば、図５の６３に示すように、未読メールに対応する項目６２を既読メールとは異なる色で表示する、利用者により選択された既読メールに目印６４を添付するなど、受信メールの属性に応じて項目の表示態様を変えてもよい。これにより、利用者は、未読メールおよび利用者により選択されたメールを容易に視認できる。受信メールの属性には、メールヘッダのフィールド及びその値、あるいはメール本文、あるいは未読であるか否か、返信が行われたか否か、利用者に選択されたメールであるか否かを管理するためのデータベース（リポジトリ）に格納された値、などが含まれる。
【００３６】
図６及び図７は、ウェブページをディスプレイ２Ａに表示させたときの画面の一例を示している。図６及び図７に示すウェブページは、画面をスクロールすることにより閲覧可能な一続きのページである。すなわち、図６及び図７に示すウェブページは、１つのＨＴＭＬ（ＨｙｐｅｒＴｅｘｔ  Ｍａｒｋｕｐ  Ｌａｎｇｕａｇｅ）形式のデータと、そのデータから参照される画像データ等の他のデータに基づいて表示される。図６に示す画面６０には、テキストデータ７１、テキストデータ７２およびテキストデータ７３が含まれる。図７に示す画面７０には、画像データ７４、テキストデータ７４およびテキストデータ７５が含まれる。
【００３７】
図８は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７とを有する。
【００３８】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３９】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュである。
【００４０】
ボタン３Ａ〜３Ｃは、例えば、ホームボタン、バックボタン、又はメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００４１】
照度センサ４は、照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、例えば、タッチスクリーンディスプレイ２が顔に近付けられたことを検出する。照度センサ４及び近接センサ５は、一つのセンサとして構成されていてもよい。
【００４２】
通信ユニット６は、無線により通信する。通信ユニット６によって行われる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００４３】
レシーバ７及びスピーカ１１は、コントローラ１０から送信される音声信号を音声として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、利用者等の音声を音声信号へ変換してコントローラ１０へ送信する。
【００４４】
ストレージ９は、プログラム及びデータを記憶する。ストレージ９は、コントローラ１０の処理結果を一時的に記憶する作業領域としても利用される。ストレージ９は、半導体記憶デバイス、及び磁気記憶デバイス等の任意の非一過的（ｎｏｎ−ｔｒａｎｓｉｔｏｒｙ）な記憶デバイスを含んでよい。ストレージ９は、複数の種類の記憶デバイスを含んでよい。ストレージ９は、メモリカード、光ディスク、又は光磁気ディスク等の可搬の記憶媒体と、記憶媒体の読み取り装置との組み合わせを含んでよい。
【００４５】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００４６】
ストレージ９は、例えば、制御プログラム９Ａ、メールアプリケーション９Ｂ、ブラウザアプリケーション９Ｃ、使用状況データ９Ｙ、及び設定データ９Ｚを記憶する。メールアプリケーション９Ｂは、電子メール機能を提供する。電子メール機能は、例えば、電子メールの作成、送信、受信、及び表示等を可能にする。ブラウザアプリケーション９Ｃは、ＷＥＢブラウジング機能を提供する。ＷＥＢブラウジング機能は、例えば、ＷＥＢページの表示、及びブックマークの編集等を可能にする。使用状況データ９Ｙは、スマートフォン１にインストールされているアプリケーションの使用状況に関する情報を含む。例えば、使用状況データ９Ｙは、画面、行、列、画像、名前、インストール日時、使用回数、及び最終使用日時等の項目を有し、スマートフォン１にインストールされているアプリケーション毎にデータを保持する。設定データ９Ｚは、スマートフォン１の動作に関する各種の設定に関する情報を含む。例えば、設定データ９Ｚには、ディスプレイ２Ａに表示された画面を制御するための設定条件が含まれる。設定条件には、例えば、未読メールに対応する項目６２を受信トレイに特定の位置に表示させるように画面のスクロールを制御すること、およびスクロールによって受信トレイの画面６０に新たに出現した未読メールに対応する項目を受信トレイに特定の位置に表示させるように画面のスクロールを制御することが含まれる。あるいは、設定条件には、例えば、スクロールによって目印６４が添付された項目６２が受信トレイの画面６０に新たに出現した場合に、受信トレイに特定の位置に表示させるように画面のスクロールを制御することが含まれる。あるいは、設定条件には、例えば、スクロールによってウェブページの画面７０に新たに出現した画像データ７４をウェブページの特定の位置に表示させるように画面のスクロールを制御することが含まれる。
【００４７】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂによって画面のスクロール操作が検出された場合に、ディスプレイ２Ａに表示される情報の属性に応じて、画面をスクロールさせる速度を制御する機能が含まれる。ディスプレイ２Ａに表示される情報には、ディスプレイ２Ａに現に表示されている情報、及び画面のスクロールによってディスプレイに表示される情報が含まれる。制御プログラム９Ａが提供する機能は、メールアプリケーション９Ｂ等の他のプログラムが提供する機能と組み合わせて利用されることがある。
【００４８】
コントローラ１０は、演算回路である。演算回路は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、又はＦＰＧＡ（Ｆｉｅｌｄ−Ｐｒｏｇｒａｍｍａｂｌｅ  Ｇａｔｅ  Ａｒｒａｙ）である。コントローラ１０は、スマートフォン１の動作を統括的に制御して各種の機能を実現する。
【００４９】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。コントローラ１０は、検出部の検出結果に応じて、制御を変更することがある。機能部は、ディスプレイ２Ａ、通信ユニット６、マイク８、及びスピーカ１１を含むが、これらに限定されない。検出部は、タッチスクリーン２Ｂ、ボタン３、照度センサ４、近接センサ５、レシーバ７、カメラ１２、カメラ１３、加速度センサ１５、方位センサ１６、及びジャイロスコープ１７を含むがこれらに限定されない。
【００５０】
コントローラ１０は、例えば、制御プログラム９Ａを実行することにより、タッチスクリーン２Ｂによって画面のスクロール操作が検出された場合に、ディスプレイ２Ａに表示される情報の属性に応じて、画面をスクロールさせる速度を制御する。
【００５１】
カメラ１２は、フロントフェイス１Ａに面している物体を撮影するインカメラである。カメラ１３は、バックフェイス１Ｂに面している物体を撮影するアウトカメラである。
【００５２】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置である。
【００５３】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００５４】
図８においてストレージ９が記憶するプログラムの一部又は全部は、通信ユニット６による無線通信で他の装置からダウンロードされてもよい。図８においてストレージ９が記憶するプログラムの一部又は全部は、ストレージ９に含まれる読み取り装置が読み取り可能な非一過的な記憶媒体に記憶されていてもよい。図８においてストレージ９が記憶するプログラムの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、又はメモリカードである。
【００５５】
図８に示したスマートフォン１の構成は一例であり、本出願の要旨を損なわない範囲において適宜変更してよい。例えば、ボタン３の数と種類は図８の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてよいし、ボタンを備えなくてもよい。図８に示した例では、スマートフォン１が２つのカメラを備えるが、スマートフォン１は、１つのカメラのみを備えてもよいし、カメラを備えなくてもよい。図８に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも一つを検出するための他の種類のセンサを備えてもよい。
【００５６】
図９〜図１２を参照しながら、制御プログラム９Ａが提供する機能に基づく制御の例について説明する。制御プログラム９Ａが提供する機能には、タッチスクリーン２Ｂによって画面のスクロール操作が検出された場合に、ディスプレイ２Ａに表示されている情報の属性に応じて、画面をスクロールさせる速度を制御する機能が含まれる。スクロール操作には、フリック、タップ、ダブルタップ、あるいはロングタッチなどの利用者によるタッチジェスチャが含まれる。
【００５７】
図９は、受信トレイに対応する画面６０をディスプレイ２Ａに表示させているときに、画面６０のスクロール操作が行われた場合の制御の例を示している。ステップＳ１１では、未読メールに対応する項目６２ａを含む受信トレイがディスプレイ２Ａに表示されており、利用者の右手の人差し指が画面６０に接触している状態を示している。ステップＳ１２では、画面６０のスクロールによって、受信トレイにおける項目６２ａの表示位置が変更された状態を示している。
【００５８】
スマートフォン１は、タッチスクリーン２Ｂの検出結果を取得し、上フリックが検出されると、ディスプレイ２Ａに表示されている受信トレイの画面６０を、上向きにスクロールさせる。スマートフォン１は、フリックの速度（加速度）に応じた速度（以下、通常の速度と表記する）で画面６０のスクロールを開始する。スマートフォン１は、通常の速度で開始したスクロールの速度を徐々に減速してもよい。続いて、スマートフォン１は、設定データ９Ｚに含まれる設定条件に従い、例えば、未読メールに対応する項目６２ａを、受信トレイの最上部に表示させるように、画面６０のスクロールの速度を制御する。例えば、スマートフォン１は、未読メールに対応する項目６２ａが受信トレイの最上部に到達したタイミングでスクロールを停止させる。あるいは、スマートフォン１は、未読メールに対応する項目６２ａが受信トレイの最上部に接近するに従ってスクロールの速度が徐々に減速し、受信トレイの最上部に到達したタイミングでスクロールの速度が０となるように、スクロールの初速と速度の減少率を調整する。スクロールの初速と速度の減少率を調整する場合、スマートフォン１は、未読メールに対応する項目６２ａが、画面６０の外にある場合（つまり、未表示の状態にある場合）は、未読メールに対応する項目６２ａが画面６０内に入るまで（つまり、表示されるまで）、通常の速度で画面６０をスクロールさせ、画面６０内に入ったら、未読メールに対応する項目６２ａが受信トレイの最上部で停止するようにスクロールの速度の減少率を調整してもよい。
【００５９】
図９に示すように、スマートフォン１は、上フリックが検出された場合には、ディスプレイ２Ａに表示されている受信トレイの画面６０をスクロールさせる。そして、スマートフォン１は、設定条件を参照し、未読メールに対応する項目６２ａが、受信トレイの最上部にきたときに、スクロールを停止させる。つまり、スマートフォン１は、受信トレイに含まれる複数の項目６２のうち、未読メールに対応する項目の表示位置を、簡単なタッチジェスチャで変えることができる。このように、本実施形態によれば、画面スクロールの操作性を向上させることができる。
【００６０】
図９では、上フリックが検出されると、スマートフォン１は、画面６０をスクロールさせた後、設定条件に従い、未読メールを受信トレイの最上部に停止させるように画面６０のスクロールの速度を制御する例を説明したが、これには限定されない。例えば、上向きのフリック（以下、上フリックと表記する）が検出されると、スマートフォン１は、画面６０をスクロールさせた後、設定条件に従い、例えば、未読メールを受信トレイの最下部に停止させるようにスクロールを制御してもよい。
【００６１】
図９では、スマートフォン１が、未読メールに対応する項目６２ａを、受信トレイの最上部に停止させるように、画面６０のスクロールの速度を制御する例を説明したが、これには限定されない。例えば、スマートフォン１は、画面６０のスクロール中に、画面６０に対するタッチが検出された場合には、画面６０のスクロールを停止してもよい。このように、スマートフォン１は、利用者の操作を優先させることができる。
【００６２】
図９では、スマートフォン１が、画面６０に現在表示されている未読メールの項目６２ａを特定の位置に停止させるように、画面６０のスクロールの速度を制御する例を説明したが、これには限定されない。例えば、スマートフォン１が、画面６０のスクロールによって、新たな未読メールに対応する項目６２が画面６０に出現した場合に、図９に示す制御と同様の制御を実行してもよい。以下、図１０を参照しつつ、他の制御の例を説明する。
【００６３】
図１０は、受信トレイに対応する画面６０をディスプレイ２Ａに表示させているときに、画面６０のスクロール操作が行われた場合の制御の他の例を示している。ステップＳ２１では、未読メールに対応する項目６２ｂを含む受信トレイがディスプレイ２Ａに表示されており、利用者の右手の人差し指が画面６０に接触している状態を示している。ステップＳ２２では、画面６０のスクロールによって、項目６２ｂが画面６０の表示領域外へ移動し、新たに、未読メールに対応する項目６２ｃおよび項目６２ｄが画面６０に出現した状態を示している。
【００６４】
スマートフォン１は、タッチスクリーン２Ｂの検出結果を取得し、上フリックが検出された場合には、ディスプレイ２Ａに表示されている受信トレイの画面６０をスクロールさせる。続いて、スマートフォン１は、画面６０のスクロールにより、新たに、未読メールに対応する項目６２ｃが画面６０に出現した場合には、設定データ９Ｚに含まれる設定条件に従い、例えば、この項目６２ｃを受信トレイの最上部に表示させるように、画面６０のスクロールの速度を制御する。例えば、スマートフォン１は、未読メールに対応する項目６２ｃが受信トレイの最上部に到達したタイミングでスクロールを停止させる。あるいは、スマートフォン１は、未読メールに対応する項目６２ｃが受信トレイの最上部に接近するに従ってスクロールの速度が徐々に減速し、受信トレイの最上部に到達したタイミングでスクロールの速度が０となるように、スクロールの初速と速度の減少率を調整する。
【００６５】
図１０に示すように、スマートフォン１は、画面６０に対するフリックが検出された場合には、受信トレイに対応する画面６０をスクロールさせる。そして、スマートフォン１は、スクロールにより画面６０に新たに出現した未読メールに対応する項目６２ｂが、受信トレイの最上部に来たときに、スクロールを停止させる。つまり、スマートフォン１は、未読メールに対応する項目のうち、画面６０に現在表示されていない項目６２の表示位置を、簡単なタッチジェスチャで利用者が視認しやすい位置に変えることができる。このように、本実施形態によれば、画面スクロールの操作性を向上させるだけでなく、未読メールの見逃しも防止できる。
【００６６】
上フリックが検出された場合に限定されず、スマートフォン１は、下フリックが検出された場合に、設定条件に従い、例えば、未読メールを受信トレイの最下部に停止させるようにスクロールを制御してもよい。
【００６７】
図１０に示す場合において、スマートフォン１は、受信トレイに対応する画面６０のスクロール中に、画面６０に対するタップが検出された場合には、画面６０のスクロールを停止してもよい。
【００６８】
図９及び図１０では、スマートフォン１が、未読メールに対応する項目を特定の位置に表示させるようにスクロールを制御する例を説明したが、これには限定されない。例えば、スマートフォン１が、目印６４が添付された項目６２を特定の位置に表示させるようにスクロールの制御を実行してもよい。以下、図１１を参照しつつ、他の制御の例を説明する。
【００６９】
図１１は、受信トレイに対応する画面６０をディスプレイ２Ａに表示させているときに、タッチスクリーン２Ｂにより画面のスクロール操作が検出された場合の制御の他の例を示している。ステップＳ３１では、既読メールに対応する複数の項目を含む受信トレイの画面６０がディスプレイ２Ａに表示されており、利用者の右手の人差し指が画面６０に接触している状態を示している。ステップＳ３２では、画面６０のスクロールによって、メール１〜１２に対応する項目６２が画面６０の表示領域外へ移動し、新たに、目印６４が添付された項目６２ｅ及び項目６２ｆが画面６０に出現した状態を示している。
【００７０】
スマートフォン１は、タッチスクリーン２Ｂの検出結果を取得し、上フリックが検出されると、ディスプレイ２Ａに表示されている受信トレイの画面６０をスクロールさせる。続いて、スマートフォン１は、画面６０のスクロールにより、目印６４が添付された項目６２ｅが受信トレイの画面６０に出現した場合には、設定データ９Ｚに含まれる設定条件に従い、例えば、この項目６２ｅを受信トレイの最上部に表示させるように、スクロールの速度を制御する。例えば、スマートフォン１は、目印６４が添付された項目６２ｅが受信トレイの最上部に到達したタイミングでスクロールを停止させる。あるいは、スマートフォン１は、目印６４が添付された項目６２ｅが受信トレイの最上部に接近するに従ってスクロールの速度が徐々に減速し、項目６２ｅが受信トレイの最上部に到達したタイミングでスクロールの速度が０となるように、スクロールの初速と速度の減少率を調整する。
【００７１】
図１１に示すように、スマートフォン１は、画面６０に対するフリックが検出された場合には、受信トレイに対応する画面６０をスクロールさせる。そして、スマートフォン１は、スクロールにより受信トレイの画面６０に新たに出現した目印６４を含む項目６２ｅを、受信トレイの最上部に来たときに、スクロールを停止させる。つまり、スマートフォン１は、受信トレイに含まれる複数の項目６２のうち、利用者により目印６４が添付されたメールに対応する項目の表示位置を、簡単なタッチジェスチャで利用者が視認しやすい位置に変えることができる。このように、本実施形態によれば、未読メールだけではなく、利用者により選択されたメールについても、画面スクロールの操作性を向上させることができる。
【００７２】
図１１に示す場合に限定されず、スマートフォン１は、例えば、上フリックが検出された場合に、設定条件に従い、例えば、目印６４を含む項目６２ｅを受信トレイの最下部に停止させるようにスクロールを制御してもよい。
【００７３】
図１１では、スマートフォン１が、受信トレイに対応する画面６０のスクロールによって、受信トレイの画面６０に出現した目印６４を含む項目６２ｅを、受信トレイの最上部に表示させるように、スクロールを停止させる例を説明したが、これには限定されない。例えば、スマートフォン１は、画面６０のスクロール中に、画面６０に対するタップが検出された場合には、画面６０のスクロールを停止してもよい。
【００７４】
未読のメールに対応する項目、及び目印６４を含む項目が受信トレイに含まれる場合、スマートフォン１は、未読メールに対応する項目または目印６４を含む項目のいずれであっても、スクロールによって最初に受信トレイに出現した項目を最上部に表示させるように制御してもよい。あるいは、スマートフォン１は、スクロールによって、未読のメールに対応する項目、及び目印６４を含む項目のうちいずれか一方を、受信トレイの最上部に表示させるように制御してもよい。
【００７５】
図９、図１０及び図１１に示す場合において、スマートフォン１は、画面６０をスクロールして、受信トレイに含まれる特定の項目を、受信トレイの最上部以外の特定の位置に表示させるように、スクロールを制御してもよい。例えば、スマートフォン１は、受信トレイに含まれる特定の項目を、受信トレイの中央に表示させるようにスクロールを制御してもよい。
【００７６】
図９、図１０及び図１１に示す場合において、スマートフォン１は、利用者に入力させた検索条件に該当する項目を、受信トレイの特定の位置に表示させるようにスクロールを制御してもよい。例えば、スマートフォン１は、検索条件の入力画面をディスプレイ２Ａに表示させて、利用者から検索条件の入力を受け付ける。スマートフォン１は、検索条件の入力画面を閉じた後、フリックが検出されると、画面をスクロールさせ、検索条件に該当する項目が受信トレイの特定の位置に到達したときにスクロールを停止させる。スマートフォン１は、検索条件としては、例えば、メールアドレス、メール本文に含まれる文字等の入力を利用者から受け付けてもよい。
【００７７】
図９、図１０及び図１１では、スマートフォン１が、受信トレイに対応する画面６０をスクロールさせた後、受信トレイに含まれる特定の項目６２を、受信トレイの特定の位置に表示させるように、スクロールを停止させる例を説明したが、これには限定されない。例えば、スマートフォン１は、受信トレイに対応する画面６０をスクロールさせた後、受信トレイに含まれる特定の項目６２が、受信トレイの特定の位置に近づくに従って、スクロールの速度を減速させてもよい。
【００７８】
図９、図１０及び図１１では、スマートフォン１が、受信トレイに対応する画面６０をディスプレイ２Ａに表示させているときに、画面６０のスクロール操作が行われた場合の制御の例を説明したが、複数の項目を含む画面であれば、同様の制御を適用できる。例えば、スマートフォン１は、メモ帳に記録されたテキストデータに対応する複数の項目の一覧を表示する画面、ダウンロードしたアプリケーションに対応する項目の一覧を表示する画面、アドレス帳に含まれるアドレス情報の一覧を表示する画面、ブックマークしたソーシャルネットワークサービスに対応する項目の一覧を表示する画面にも、同様の制御を適用できる。例えば、スマートフォン１は、メモ帳に含まれる項目の一覧を表示する画面をスクロールした後、利用者が予め選択した項目を、画面の特定の位置に表示させるように制御してもよい。例えば、スマートフォン１は、アプリケーションに対応する項目の一覧を表示する画面をスクロールした後、更新が必要なアプリケーションに対応する項目を、画面の特定の位置に表示させるように制御してもよい。例えば、スマートフォン１は、アドレス帳に含まれるアドレス情報の一覧を表示する画面をスクロールした後、赤外線通信などの無線通信などにより新たに受信したアドレス情報に対応する項目を、画面の特定の位置に表示させるように制御してもよい。例えば、スマートフォン１は、ブックマークしたソーシャルネットワークサービスに対応する項目の一覧を表示する画面をスクロールした後、情報の更新があったソーシャルネットワークサービスに対応する項目を、画面の特定の位置に表示させるように制御してもよい。
【００７９】
図９、図１０及び図１１に示すように、スマートフォン１が、複数の項目を含む画面のスクロールを制御する例に限定されず、例えば、テキストデータおよび画像データを含むウェブページの画面など、属性の異なる複数の情報を含む画面のスクロールを制御してもよい。スマートフォン１は、例えば、ＨＴＭＬデータに含まれるタグの種類、またはタグに含まれるプロパティ（アトリビュート）の値に基づいて、ウェブページに含まれる情報の属性を判定する。以下、図１２を参照しつつ、他の制御の例を説明する。
【００８０】
図１２は、ウェブページに対応する画面７０をディスプレイ２Ａに表示させているときに、画面７０のスクロール操作が行われた場合の制御の例を示している。ステップＳ４１では、テキストデータ７１、テキストデータ７２およびテキストデータ７３を含むウェブページがディスプレイ２Ａに表示されており、利用者の右手の人差し指が画面６０に接触している状態を示している。ステップＳ４２では、画面７０のスクロールによって、テキストデータ７１〜７３が画面７０の表示領域外へ移動し、新たに、画像データ７４、テキストデータ７４〜７５が画面７０に出現した状態を示している。
【００８１】
スマートフォン１は、タッチスクリーン２Ｂの検出結果を取得し、上フリックが検出されると、ディスプレイ２Ａに表示されているウェブページの画面７０をスクロールさせる。続いて、スマートフォン１は、スクロールにより、ステップＳ４１でディスプレイ２Ａに表示されていたテキストデータ７１〜７３とはデータの属性が異なる画像データ７４が画面７０に出現した場合には、設定データ９Ｚに含まれる設定条件に従い、この画像データ７４をウェブページの最上部に表示させるように、スクロールの速度を制御する。例えば、スマートフォン１は、画像データ７４がウェブページの最上部に到達したタイミングでスクロールを停止させる。あるいは、スマートフォン１は、画像データ７４がウェブページの最上部に接近するに従ってスクロールの速度が徐々に減速し、画像データ７４がウェブページの最上部に到達したタイミングでスクロールの速度が０となるように、スクロールの初速と速度の減少率を調整する。
【００８２】
図１２に示すように、スマートフォン１は、画面７０に対するフリックが検出された場合には、受信トレイに対応する画面７０をスクロールさせる。そして、スマートフォン１は、スクロールによりウェブページの画面７０に新たに出現した画像データ７４を、ウェブページの最上部に来たときに、スクロールを停止させる。つまり、スマートフォン１は、ウェブページに含まれる複数のデータのうち、特定のデータの表示位置を、簡単なタッチジェスチャで利用者が視認しやすい位置に変えることができる。このように、本実施形態によれば、画面スクロールの操作性を向上させることができる。
【００８３】
図１２に示す場合に限定されず、スマートフォン１は、例えば、上フリックが検出された場合に、画面７０をスクロールさせた後、設定条件に従い、例えば、画像データ７４を、ウェブページの最下部に停止させるようにスクロールを停止させてもよい。
【００８４】
図１２に示す場合に限定されず、スマートフォン１は、例えば、ウェブページに対応する画面７０をスクロールさせた後、ウェブページに含まれる画像データ７４が、ウェブページの特定の位置に近づくに従って、スクロールの速度を減速させてもよい。この場合、スマートフォン１は、画像データ７４が最上部に来てもスクロールを停止させずに、スクロールを継続する。スクロールの減速を画像データ７４の近傍で通常よりも大きくすることで、スマートフォン１は、画像データ７４を見つけやすくすることができる。
【００８５】
図１２では、スマートフォン１が、ウェブページに対応する画面７０のスクロールによって、ウェブページの画面７０に出現した画像データ７４を、ウェブページの最上部に表示させるように、スクロールを停止させる例を説明したが、これには限定されない。例えば、スマートフォン１は、画面７０のスクロール中に、画面７０に対するタップが検出された場合には、画面７０のスクロールを停止してもよい。
【００８６】
図１２に示す場合において、画像データ７４をウェブページの最上部ではなく、ウェブページの中央に表示させるように制御してもよい。
【００８７】
図１２に示す場合において、画像データ７４ではなく、特定の文字列を含むテキストデータを、ウェブページの特定の位置に表示させるようにスクロールを制御してもよい。例えば、スマートフォン１は、特定の文字列を含むテキストデータを、ウェブページの特定の位置に表示させるようにスクロールを制御してもよい。
【００８８】
図１３を参照しながら、制御プログラム９Ａが提供する機能に基づく制御の処理手順の例について説明する。図１３は、タッチスクリーン２Ｂによって画面のスクロール操作が検出された場合に、ディスプレイ２Ａに表示される情報の属性に応じて、画面をスクロールさせる速度を制御する処理の処理手順を示している。図１３に示す処理手順は、コントローラ１０が、制御プログラム９Ａを実行することによって実現される。図１３に示す処理手順は、ディスプレイ２Ａに複数の情報が表示されている間、コントローラ１０によって繰り返し実行される。
【００８９】
図１３に示すように、コントローラ１０は、ステップＳ１０１として、タッチスクリーンの検出結果を取得する。続いて、コントローラ１０は、ステップＳ１０２として、スクロール操作が検出されたかどうかを判定する。例えば、コントローラ１０は、上フリック又は下フリックが検出されたかどうかを判定する。
【００９０】
コントローラ１０は、判定の結果、スクロール操作が検出された場合には（ステップＳ１０２，Ｙｅｓ）、ステップＳ１０３として、スクロールの速度を設定条件に応じて制御し、処理を終了する。具体的には、スマートフォン１は、ディスプレイ２Ａに表示する情報の属性が設定条件に該当するか否かを判定する。判定の結果、ディスプレイに表示する情報が設定条件に該当する場合には、スマートフォン１は、スクロールの速度を調整する。一方、ディスプレイに表示する情報が設定条件に該当しない場合には、スマートフォン１は、スクロールの速度を調整しない。例えば、スマートフォン１は、設定条件として未読メールに対応する項目を受信トレイに特定の位置に表示させるように画面のスクロールを制御する旨が設定されている場合、コントローラ１０は、例えば、スクロールにより画面に新たに出現した未読メールに対応する項目が受信トレイの特定の位置に来たときに、スクロールを停止させる。あるいは、コントローラ１０は、未読メールに対応する項目が、受信トレイの特定の位置に近づくに従って、スクロールの速度を減速させ、未読メールに対応する項目が、受信トレイの特定の位置に到達したタイミングでスクロールを停止させる。設定条件として、ウェブページに含まれる属性の異なる情報を特定の位置に表示させるように画面のスクロールを制御する旨が設定されている場合、コントローラ１０は、例えば、スクロールにより画面に新たに出現した画像データをウェブページの特定の位置に来たときに、スクロールを停止させる。あるいは、コントローラ１０は、画像データが、ウェブページの特定の位置に近づくに従って、スクロールの速度を減速させ、画像データが、ウェブページの特定の位置に到達したタイミングで、スクロールを停止させる。
【００９１】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【００９２】
例えば、図８に示した各プログラムは、複数のモジュールに分割されていてもよい。あるいは、図８に示した各プログラムは、他のプログラムと結合されていてもよい。
【００９３】
上記の実施形態では、タッチスクリーンを備える装置の一例として、スマートフォンについて説明したが、添付の請求項に係る装置は、スマートフォンに限定されない。添付の請求項に係る装置は、スマートフォン以外の携帯電子機器であってもよい。携帯電子機器は、例えば、モバイルフォン、タブレット、携帯型パソコン、デジタルカメラ、メディアプレイヤ、電子書籍リーダ、ナビゲータ、及びゲーム機である。あるいは、添付の請求項に係る装置は、据え置き型の電子機器であってもよい。据え置き型の電子機器は、例えば、デスクトップパソコン、及びテレビ受像器である。
【符号の説明】
【００９４】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｙ  使用状況データ
９Ｚ  設定データ
１０    コントローラ
１１    スピーカ
１２、１３  カメラ
１４    コネクタ
１５    加速度センサ  
１６    方位センサ
１７    ジャイロスコープ
２０    ハウジング
【図１】
2013186726.tif 000003
【図２】
2013186726.tif 000004
【図３】
2013186726.tif 000005
【図４】
2013186726.tif 000006
【図５】
2013186726.tif 000007
【図６】
2013186726.tif 000008
【図７】
2013186726.tif 000009
【図８】
2013186726.tif 000010
【図９】
2013186726.tif 000011
【図１０】
2013186726.tif 000012
【図１１】
2013186726.tif 000013
【図１２】
2013186726.tif 000014
【図１３】
2013186726.tif 000015